(57)【要約】【課題】  商品性を高めることが可能な表示装置を提供する。【解決手段】  表示素子１１を有する第１の表示手段１０と表示板６０を有する第２の表示手段２０とが隣接するように配設され、第１の表示手段１０は、表示素子１１並びに表示素子１１の背後に配置される拡散板１５を保持する第１のケース体１４を備えてなり、第１のケース体１４が、表示板６０から拡散板１５側に向けて延在する延長部Ｃ２によって拡散板１５の所要部を保持するように構成されてなる表示装置において、拡散板１５には、観察者側から延長部Ｃ２を視認不可能とする不可視部１５ｂが設けられてなる。【選択図】  図２
2008275799.tif 000002
【特許請求の範囲】
【請求項１】
表示素子を有する第１の表示手段と表示パネルを有する第２の表示手段とが隣接するように配設され、
前記第１の表示手段は、前記表示素子並びに前記表示素子の背後に配置される板状部材を保持するケース体を備えてなり、
前記ケース体が、前記表示パネルから前記板状部材側に向けて延在する延長部によって前記板状部材の所要部を保持するように構成されてなる表示装置において、
前記板状部材には、観察者側から前記延長部を視認不可能とする不可視部が設けられてなることを特徴とする表示装置。
【請求項２】
前記板状部材は、前記表示素子の背後に位置する基部を備え、
前記不可視部が、前記基部から前記第２の表示手段側に向けて連続形成される突出部と、前記突出部に施された不透過処理部とで構成されてなることを特徴とする請求項１記載の表示装置。
【請求項３】
前記板状部材は、光源からの照明光を略均一化するための拡散板であることを特徴とする請求項１または請求項２記載の表示装置。
【発明の詳細な説明】
【技術分野】
【０００１】
本発明は、表示素子を有する第１の表示手段と表示パネルを有する第２の表示手段とが隣接するように配設された表示装置に関する。
【背景技術】
【０００２】
従来、この種の表示装置にあっては、例えば下記特許文献１に記載されているものが知られている。この特許文献１に記載の表示装置は、各種車両に搭載された車両用の表示装置からなり、車速等の各種情報の表示を行う液晶表示器（第１の表示手段）と、液晶表示器に隣接するように配設された燃料計からなるアナログ式表示器（第２の表示手段）とを備えてなる。
【特許文献１】特開２００３−７６２９４号公報
【０００３】
図５は、液晶表示器１００とアナログ式表示器２００とが隣接するように配設された表示装置の従来技術を示している。この図５において、液晶表示器（第１の表示手段）１００は、車速等の各種情報の表示を行う液晶表示素子（表示素子）１１０と、この液晶表示素子１１０をバックライト照明するための複数個の光源１２０と、各光源１２０を実装してなる回路基板１３０と、各光源１２０を囲むように液晶表示素子１１０と回路基板１３０との間に位置する第１のケース体（ケース体）１４０と、液晶表示素子１１０と第１のケース体１４０との間に狭持される拡散板１５０と、液晶表示素子１１０の可視領域を定めるための開口窓部１６１を有する見返し部材１６０とを備えてなる。
【０００４】
この場合、第１のケース体１４０は、例えば白色の合成樹脂からなり、拡散板１５０並びに拡散板１５０上に載置される液晶表示素子１１０を保持するための略枠形状の周壁部１４１を備えてなる。
【０００５】
また、拡散板１５０は、例えば乳白色を有する略平板状の光透過性合成樹脂からなり、液晶表示素子１１０の背面に沿うように配置され、液晶表示素子１１を保持する基部１５１を有してなる。かかる拡散板１５０は、第１のケース体１４０の周壁部１４１によって包囲されてなる各光源１２０からの照明光を略均一化させるための光拡散部材としての機能を有し、この略均一化された照明光は液晶表示素子１１０側に導かれる構成となっている。
【０００６】
一方、アナログ式表示器（第２の表示手段）２００は、液晶表示器１００に備えられる前述した回路基板１３０と、この回路基板１３０に導通装着され回転軸２１０が前方に延びる駆動装置２２０と、回転軸２１０にて回転駆動される指針２３０と、この指針２３０の背後に位置して回路基板１３０上に配置される表示板（表示パネル）２４０と、指針２３０を照明する指針用光源２５０と、表示板２４０を照明する表示用光源２６０と、回路基板１３０と表示板２４０との間に配置される第２のケース体２７０とを備えてなる。
【０００７】
この場合、表示板２４０は、指針２３０の回転軌道に沿った円弧状の配列形状を有し指針２３０の指示対象となる目盛，数字等からなる指標部２４１と、この指標部２４１の背景を形成する背景部２４２とを有している。これら指標部２４１，背景部２４２は透光性合成樹脂からなる薄板状の基材２４３の前面に形成された印刷層からなり、指標部２４１は白色の透光性インクにより形成され、背景部２４２は黒色の遮光性インクにより形成されている。
【０００８】
また、第２のケース体２７０は、白色の合成樹脂からなり、回路基板１３０と表示板２４０との間に位置して表示板２４０を保持する保持体としての機能、指針用光源２５０及び表示用光源２６０からの照明光を前方側に反射する反射体としての機能等を有している。
【０００９】
かかる第２のケース体２７０は、指針用光源２５０からの照明光を指針２３０の受光部２３１に導くための開口部２７１を有する筒状部２７２と、筒状部２７２を取り巻くように表示板２４０側に傾斜して延び表示用光源２６０と対向する第１の反射部２７３と、表示用光源２６０を収納する開放部２７４と、この開放部２７４から外周に向けて表示板２４０に近接する皿形状の環状壁からなる第２の反射部２７５とを備えている。
【００１０】
また図６は、図５中、Ｃ部を拡大して示した図であり、この図６において、第２の反射部２７５における周縁部２７５ａは、液晶表示器１００における第１のケース体１４０の周壁部１４１と略板状の連結部分Ｃ１を介して連結されてなる。つまり、このことは、第１，第２のケース体１４０，２７０とこれらを繋ぐ連結部分Ｃ１とが、一体形成された構成となっていることを意味している。
【００１１】
また、連結部分Ｃ１の設定位置は、連結部分Ｃ１側に位置する周壁部１４１の先端面（天面）Ｐよりも一段低い位置に設定されてなる。従って、連結部分Ｃ１側に位置する周壁部１４１は、連結部分Ｃ１から先端面Ｐ（拡散板１５０）側に向けて延在する延長部Ｃ２によって拡散板１５０の一部を保持するように構成されてなる。
【発明の開示】
【発明が解決しようとする課題】
【００１２】
しかしながら、上述したような液晶表示器１００とアナログ式表示器２００とが隣接するように配設された表示装置の場合、例えば観察者（車両の利用者）が、頭部を左側または右側に傾けた状態で、液晶表示器１００とアナログ式表示器２００との境界領域（連結部分Ｃ１付近）を見たときに、前記境界領域（連結部分Ｃ１）側に位置する周壁部１４１における延長部Ｃ２の白色外壁部分Ｗが観察者側（図６に示す観察者の視線方向Ｅ）から視認されてしまうといった外観上の不具合が発生し、商品性を損ねる原因となっていた。
そこで本発明は、前述の課題に対して対処するため、商品性を高めることが可能な表示装置の提供を目的とするものである。
【課題を解決するための手段】
【００１３】
本発明は、表示素子を有する第１の表示手段と表示パネルを有する第２の表示手段とが隣接するように配設され、前記第１の表示手段は、前記表示素子並びに前記表示素子の背後に配置される板状部材を保持するケース体を備えてなり、前記ケース体が、前記表示パネルから前記板状部材側に向けて延在する延長部によって前記板状部材の所要部を保持するように構成されてなる表示装置において、前記板状部材には、観察者側から前記延長部を視認不可能とする不可視部が設けられてなることを特徴とする。
【００１４】
また本発明は、前記板状部材は、前記表示素子の背後に位置する基部を備え、前記不可視部が、前記基部から前記第２の表示手段側に向けて連続形成される突出部と、前記突出部に施された不透過処理部とで構成されてなることを特徴とする。
【００１５】
また本発明は、前記板状部材は、光源からの照明光を略均一化するための拡散板であることを特徴とする。
【発明の効果】
【００１６】
本発明によれば、初期の目的を達成でき、商品性を高めることが可能な表示装置を提供できる。
【発明を実施するための最良の形態】
【００１７】
（第１実施形態）以下、本発明の第１実施形態を例えば液晶表示器とアナログ式表示器とが隣接するように配設された車両用の表示装置に適用した場合について説明する。なお、図１は、本発明の第１実施形態による表示装置の断面図、図２は、図１中、Ａ部を拡大して示す要部断面図である。
【００１８】
図１において、本実施形態による表示装置は、液晶表示器からなる第１の表示手段１０と、アナログ式表示器（例えば燃料計）からなる第２の表示手段２０とを備えてなる。この場合、各表示手段１０，２０は、互いに隣接するように配設された状態で表示装置を構成してなり、図１中、左方に第１の表示手段１０が配設され、図１中、右方に第１の表示手段１０と隣接するように第２の表示手段２０が配設されてなる。
【００１９】
第１の表示手段１０は、表示素子１１と、光源１２と、回路基板１３と、第１のケース体１４と、拡散板１５と、見返し部材１６とから構成されてなる。
【００２０】
表示素子１１は、例えば液晶表示素子からなり、図示しない各種センサからの検出信号（電気信号）に基づいて、車速や車両の走行距離、燃料消費、外気温、時刻等の各種情報を複数の表示セグメント（図示せず）により情報表示するものである。
【００２１】
光源１２は、適宜色（例えば橙色）の照明光を発する複数個のチップ型発光ダイオードからなり、拡散板１５の背後側となる回路基板１３上にそれぞれ配置（実装）され、前方側（拡散板１５側）に照明光を供給する発光体である。
【００２２】
回路基板１３は、例えばガラスエポキシ系基材に配線パターン（図示せず）を施した硬質回路基板からなり、表示素子１１の駆動・制御を行う駆動回路（図示せず）と、各光源１２と、後述する駆動装置の駆動・制御を行う駆動手段（図示せず）と、後述する各指針用光源、各表示用光源と、抵抗、コンデンサ等の各種回路部品（図示せず）とが前記配線パターンに導通接続されている。かかる回路基板１３は、第１の表示手段１０の一構成部品であるとともに、前記駆動装置や前記各指針用光源、前記各表示用光源を備える第２の表示手段２０の一構成部品でもある。
【００２３】
第１のケース体１４は、白色の合成樹脂からなり、各光源１２を取り囲むように回路基板１３と拡散板１５との間に位置し、拡散板１５並びに拡散板１５上に載置される表示素子１１を保持するための略枠形状の周壁部１４ａを備えてなる。なお、周壁部１４ａの断面形状は、本実施形態の場合、立壁（垂直壁）形状となっているが、例えば光源１２側となる下端側開口の幅が、拡散板１５側となる上端側開口の幅よりも幅狭となるような傾斜壁形状としてもよい。なお、第１のケース体１４は、請求項１におけるケース体に相当する。
【００２４】
拡散板１５は、例えば乳白色を有する略平板状の光透過性合成樹脂からなり、表示素子１１の背後に配置される。本実施形態の場合、拡散板１５は、表示素子１１の背後に位置し、且つ表示素子１１の背面に沿うように配置される基部１５ａを備え、この基部１５ａによって表示素子１１を保持してなる。また、拡散板１５は、第１のケース体１４の周壁部１４ａによって包囲されてなる各光源１２からの照明光を略均一化させるための光拡散部材としての機能を有し、この略均一化された照明光は表示素子１１側に導かれる構成となっている。なお、拡散板１５は、請求項１における板状部材に相当する。
【００２５】
また、拡散板１５には、第１の表示手段１０と第２の表示手段２０の一部とを拡大して示す図２において、図２中、表示素子１１の一側面１１ａから外側（第２の表示手段２０側）に向けて、第２の表示手段２０の後述する表示板の周縁部分と対向するように延在し、観察者（車両の利用者）側から後述する延長部を視認不可能とするような不可視部１５ｂが設けられてなる。
【００２６】
本実施形態の場合、不可視部１５ｂは、拡散板１５における基部１５ａの長手方向に沿うように基部１５ａと一体形成されてなり、表示素子１１の一側面１１ａ（つまり、基部１５ａ）から第２の表示手段２０側に向けて連続形成されてなる略平板状の突出片（突出部）１５ｃと、この突出部１５ｃの表面と側面に印刷や塗装等の手段により施された黒色の不透過層（不透過処理部）１５ｄとで構成されてなる。つまり、このことは不透過層１５ｄの施された突出部１５ｃ（不可視部１５ｂ）と基部１５ａとの境界部分が表示素子１１の一側面１１ａに対応してなることを意味している。なお、黒色印刷層や黒色塗膜からなる不透過層１５ｄは、前記表面と前記側面に加えて突出部１５ｃの裏面に設けてもよい。
【００２７】
見返し部材１６は、例えば黒色の合成樹脂からなり、表示素子１１（前記各種情報）の可視領域（表示エリア）を定めるための開口窓部１６ａを備えてなる。
【００２８】
一方、第２の表示手段２０は、第１の表示手段１０に備えられる前述した回路基板１３と、この回路基板１３に導通装着され回転軸３０が前方に延びる駆動装置４０と、回転軸３０にて回転駆動される指針５０と、この指針５０の背後に位置して回路基板１３上に配置される表示板（表示パネル）６０と、指針５０を照明する指針用光源７０と、表示板６０を照明する表示用光源８０と、回路基板１３と表示板６０との間に配置される第２のケース体９０とから構成されてなる。
【００２９】
駆動装置４０は、可動磁石式計器またはステッピングモータからなり、回転軸３０が回路基板１３を貫通するように、その主要部が回路基板１３の背後に装着され、且つ半田付け等の適宜導通手段により前記配線パターン（前記駆動手段）に電気接続される。
【００３０】
指針５０は、透光性合成樹脂からなる指示部５１と、この指示部５１の回転中心部外周を覆う遮光性合成樹脂からなる指針キャップ５２とを備えている。指示部５１は、表示板６０の後述する指標部を指示するように線状に延び、また指針５０の回転中心部には、背後に配置された指針用光源７０から発せられる照明光を受光しその照明光を指示部５１の先端側に反射導光する受光部５３が形成されている。
【００３１】
表示板６０は、指針５０の回転軌道に沿った円弧状の配列形状を有し指示部５１の指示対象となる目盛，数字等からなる指標部６１と、この指標部６１の背景を形成する背景部６２とを有している。
【００３２】
これら指標部６１，背景部６２は透光性合成樹脂からなる薄板状の基材６３の前面に形成された印刷層からなり、指標部６１は白色の透光性インクにより形成され、背景部６２は不透過層１５ｄと略同系色である黒色の遮光性インクにより形成されている。なお、これら指標部６１，背景部６２の各印刷層はスクリーン印刷等の手段を用いて印刷形成されている。また６４は、回転軸３０と指針５０との連結箇所に対応する貫通部である。また本実施形態の場合、表示板６０における背景部６２の周縁部分Ｇと、拡散板１５の不可視部１５ｂとは、互いに対向するような位置関係となっている。
【００３３】
指針用光源７０は、例えば赤色光を発するチップ型発光ダイオードからなり、指針５０の前記回転中心部に対応する回路基板１３の前方側に複数個配置され、指示部５１を赤色に発光させる発光体である。
【００３４】
表示用光源８０は、例えば白色光を発するチップ型発光ダイオードからなり、第２のケース体９０の後述する第１の反射部に対応する回路基板１３の前方側に複数個配置され、指標部６１を白色に発光させる発光体である。
【００３５】
第２のケース体９０は、白色の合成樹脂からなり、回路基板１３と表示板６０との間に位置して表示板６０を保持する保持体としての機能、指針用光源７０及び表示用光源８０からの照明光を前方側に反射する反射体としての機能等を有しており、表示板６０の貫通部６４に対応し指針用光源７０からの照明光を指針５０の受光部５３に導く開口部９１を有する筒状部９２と、筒状部９２を取り巻くように表示板６０側に傾斜して延び表示用光源８０と対向する第１の反射部９３と、表示用光源８０を収納する開放部９４と、この開放部９４から外周に向けて表示板６０に近接する皿形状の環状壁からなる第２の反射部９５とを備えている。
【００３６】
そして、この第２の反射部９５における周縁部９５ａは、第１の表示手段１０における第１のケース体１４の周壁部１４ａと略板状の連結部分Ｃ１を介して連結されてなる。つまり、このことは、第１，第２のケース体１４，９０とこれらを繋ぐ連結部分Ｃ１とが、一体形成された構成となっていることを意味している。また、本実施形態の場合、連結部分Ｃ１の設定位置は、連結部分Ｃ１側に位置する周壁部１４ａの先端面（天面）Ｐよりも一段低い位置に設定されてなる。従って、連結部分Ｃ１側に位置するケース体１４の周壁部１４ａは、連結部分Ｃ１（表示板６０の前面）から先端面Ｐ（拡散板１５）側に向けて延在する延長部Ｃ２によって拡散板１５の一部（所要部）を保持するように構成されてなる。
【００３７】
ところで、第１の表示手段１０に備えられる拡散板１５の基部１５ａには、前述したように表示素子１１の一側面１１ａから第２の表示手段２０側に向けて延在し、観察者側（図２に示す観察者の視線方向Ｅ）から延長部Ｃ２を視認不可能とする不可視部１５ｂが表示板６０（背景部６２）の周縁部分Ｇと対向するように連続形成されてなることで、観察者が左側または右側に頭部を傾けた状態で、連結部分Ｃ１（前記境界部分）付近を見た場合であっても、観察者側からは延長部Ｃ２（延長部Ｃ２の白色外壁部分Ｗ）が視認されない構成となるため、従来のように白色外壁部分Ｗが観察者側から視認されていたことに伴う外観上の不具合が解消（防止）され、商品性を高め得る表示装置を提供することができる。
【００３８】
以上のように、本実施形態では、表示素子１１を有する第１の表示手段１０と表示板６０を有する第２の表示手段２０とが隣接するように配設され、第１の表示手段１０は、表示素子１１並びに表示素子１１の背後に配置される拡散板１５を保持する第１のケース体１４を備えてなり、第１のケース体１４が、表示板６０から拡散板１５側に向けて延在する延長部Ｃ２によって拡散板１５の前記所要部を保持するように構成されてなる表示装置において、拡散板１５には、観察者側から延長部Ｃ２を視認不可能とする不可視部１５ｂが設けられてなることにより、従来のように白色外壁部分Ｗが観察者側から視認されていたことに伴う外観上の不具合が解消され、商品性を向上させることが可能となる。
【００３９】
また本実施形態では、拡散板１５は、表示素子１１の背後に位置する基部１５ａを備え、不可視部１５ｂが、基部１５ａから第２の表示手段２０側に向けて連続形成される突出部１５ｃと、突出部１５ｃに施された不透過層１５ｄとで構成されてなることにより、延長部Ｃ２（白色外壁部分Ｗ）が観察者側から視認されてしまうといった外観上の不具合を表示装置全体の構造を複雑にすることなく、シンプルな構成にて解消することが可能となる。
【００４０】
また本実施形態では、不透過層１５ｄが、黒色印刷層や黒色塗膜からなる例について説明したが、不透過層１５ｄの色調は、延長部Ｃ２が観察者側から視認不可能な構成であれば任意の色調を採用することが可能であり、例えば不透過層１５ｄを暗色印刷層や暗色塗膜により形成してもよい。なお、不透過層１５ｄの色調と、第２の表示手段２０における表示板６０の背景部６２の色調とは、本実施形態にて説明したように略同一色に設定することが望ましい。
【００４１】
また本実施形態では、拡散板１５における基部１５ａと突出部１５ｃ（不可視部１５ｂ）との前記境界部分が表示素子１１の一側面１１ａに対応してなる場合について説明したが、例えば前記境界部分を一側面１１ａではなく、表示素子１１の前記表示エリアと非表示エリアとの境界部（つまり、見返し部材１６の開口窓部１６ａ）に対応させてもよい。
【００４２】
なお本実施形態では、第１，第２のケース体１４，９０とこれらを連結する連結部分Ｃ１とが一体的に形成されてなる場合について説明したが、例えば連結部分Ｃ１を廃止して、第１のケース体１４と第２のケース体９０とを別部材により形成することも可能である。
【００４３】
（第２実施形態）次に、図３，図４を用いて、本発明の第２実施形態を説明するが、前述した第１実施形態と同一もしくは相当個所には、同一符号を付してその詳細な説明は省略する。なお、図３は本発明の第２実施形態による表示装置の断面図、図４は図３中、Ｂ部を拡大して示す要部断面図である。
【００４４】
この第２実施形態が、前記第１実施形態と比べて異なる点は、表示素子１１を受光型の液晶表示素子ではなく自発光型表示素子３００とし、さらに板状部材１５を拡散板ではなく白色合成樹脂からなる板状保持体３１０とした点である。なお、本第２実施形態のように自発光型表示素子３００を採用した場合、前記第１実施形態にて採用した各光源１２が不要となることは言うまでもない。
【００４５】
自発光型表示素子３００は、本第２実施形態の場合、一対の電極間にサンドイッチした有機発光層をさらに一対のガラス基板で封止し、前記電極間に直流を供給することで間に挟まれた前記有機発光層が発光する電界発光素子からなる。
【００４６】
また、板状保持体３１０は、自発光型表示素子３００の背後に配置される。本第２実施形態の場合、板状保持体３１０は、自発光型表示素子３００の背後に位置し、且つ表示素子１１の背面に沿うように配置される基部３１１を備え、この基部３１１によって自発光型表示素子３００を保持してなる。
【００４７】
また、板状保持体３１０には、第１の表示手段１０と第２の表示手段２０の一部とを拡大して示す図４において、図４中、自発光型表示素子３００の一側面３０１から前記外側（第２の表示手段２０側）に向けて、第２の表示手段２０における表示板６０の周縁部分Ｇと対向するように延在し、観察者（車両の利用者）側から延長部Ｃ２を視認不可能とするような不可視部３１２が設けられてなる。
【００４８】
本第２実施形態の場合、不可視部３１２は、基部３１１の長手方向に沿うように基部３１１と一体形成されてなり、自発光型表示素子３００の一側面３０１（つまり、基部３１１）から第２の表示手段２０側に向けて連続形成されてなる略平板状の突出片（突出部）３１３と、この突出部３１３の表面と側面に印刷や塗装等の手段により施された黒色の不透過層（不透過処理部）３１４とで構成されてなる。なお、不透過層３１４は、突出部３１３の表面と側面に加えて突出部３１３の裏面に設けてもよい。また、突出部３１３（不可視部３１２）と基部３１１との境界部分は、一側面３０１ではなく、見返し部材１６の開口窓部１６ａに対応させてもよい。
【００４９】
かかる第２実施形態においても、第１の表示手段１０に備えられる板状保持体３１０の基部３１１には、前述したように自発光型表示素子３００の一側面３０１から第２の表示手段２０側に向けて延在し、観察者側（図４に示す観察者の視線方向Ｅ）から延長部Ｃ２を視認不可能とする不可視部３１２が表示板６０の周縁部分Ｇと対向するように連続形成されてなることで、観察者が左側または右側に頭部を傾けた状態で、連結部分Ｃ１（前記境界部分）付近を見た場合であっても、観察者側からは延長部Ｃ２（延長部Ｃ２の白色外壁部分Ｗ）が視認されない構成となるため、前記第１実施形態と同様の作用効果を得ることができる。
【００５０】
また本第２実施形態では、板状保持体３１０の基部３１１，突出部３１３が白色合成樹脂からなる例について説明したが、板状保持体３１０の基部３１１，突出部３１３を白色以外の任意の色調を有する合成樹脂としてもよいし、さらにはアクリル樹脂や金属板とすることも可能である。特に、基部３１１，突出部３１３を黒色合成樹脂とした場合には、突出部３１３自体が不可視部３１２としての機能を有することになるので、不透過層３１４が不要となることは言うまでもない。
【００５１】
なお前記各実施形態では、第２の表示手段２０が、指針５０と表示板（表示パネル）６０とを有するアナログ式表示器からなる場合について説明したが、例えば第２の表示手段２０をアナログ式表示器ではなく、受光型の液晶表示素子や自発光型表示素子からなる表示パネルを備えた液晶表示器やＥＬ表示器としてもよい。このことは、前記第１実施形態にて採用した液晶表示素子１１を有する第１の表示手段１０と略同一な構成、あるいは前記第２実施形態にて採用した自発光型表示素子３００を有する第１の表示手段１０と略同一な構成を第２の表示手段２０側にも配置可能であることを意味している。なお、この場合、表示板６０の表示面（最表面）と、液晶表示素子や自発光型表示素子の表示面とが略同一面上に設定されることは言うまでもない。
【図面の簡単な説明】
【００５２】
【図１】本発明の第１実施形態による表示装置の断面図である。
【図２】図１中、Ａ部を拡大して示す要部断面図である。
【図３】本発明の第２実施形態による表示装置の断面図である。
【図４】図３中、Ｂ部を拡大して示す要部断面図である。
【図５】従来技術による表示装置の断面図である。
【図６】図５中、Ｃ部を拡大して示す要部断面図である。
【符号の説明】
【００５３】
１０    第１の表示手段
１１    表示素子（液晶表示素子）
１２    光源
１４    第１のケース体（ケース体）
１４ａ  周壁部
１５    拡散板（板状部材）
１５ａ，３１１  基部
１５ｂ，３１２  不可視部
１５ｃ，３１３  突出片（突出部）
１５ｄ，３１４  不透過層（不透過処理部）
２０    第２の表示手段
６０    表示板（表示パネル）
３００    自発光型表示素子（表示素子）
３１０    板状保持体（板状部材）
Ｃ１    連結部分
Ｃ２    延長部
Ｅ      視線方向
Ｗ      白色外壁部分
【図１】
2008275799.tif 000003
【図２】
2008275799.tif 000004
【図３】
2008275799.tif 000005
【図４】
2008275799.tif 000006
【図５】
2008275799.tif 000007
【図６】
2008275799.tif 000008